(57)【要約】【課題】    従来の冷暖房機能を備えたセパレートタイプのエアコン屋内機１と屋外機２の設置に関する諸問題を解消した収納棚家具を提供する。【解決手段】  冷暖房機能を備えたセパレートタイプのエアコン屋内機１と屋外機２を収納する家具であって、前記屋外機２を設置する空間が、前面、背面、上下面、及び左右側面、が囲まれた密閉空間とされ、前記前面は開閉自在に形成されており、前記背面の少なくとも一部は開口されており、前記背面の開口部以外の前記密閉空間が防音、遮熱されるように形成された収納棚家具。【選択図】図１
2017110893.tif 000002
【特許請求の範囲】
【請求項１】
冷暖房機能を備えた形式のエアコン屋外機と屋内機を収納する収納棚家具であって、
前記屋外機を設置する空間が、前後面、上下面、及び左右側面によって密閉空間とされ、前記前面は開閉自在に形成されており、
前記後面の少なくとも一部は開口されており、
前記後面の開口部以外の前記密閉空間は防音、断熱処理されている
ことを特徴とする収納棚家具。
【請求項２】
前記収納棚家具は窓と前記後面の開口部を対向して設置されており、前記窓と開口部とは防音、遮熱、防振動処理された連通路を以って開閉状態にして連結されていることを特徴とする請求項１に記載の収納棚家具。
【請求項３】
前記窓の上部及び下部と右側縦窓受額縁三方の窓受額縁とアングル止金具で接合固定し、前記家具後部仕切板に対向する引き違い窓の中央部縦枠から袖壁を設け、当該袖壁に遮熱材を接合したリブを前記窓の幅員に合わせた距離の位置に接合した当該リブが引き違い窓の中央部縦枠面に密着していることを特徴とする請求項１及び２記載の納棚家具。
【請求項４】
前記収納棚家具の前部化粧仕切板に開口部を設けて前記開口部を開放可能にしたことを特徴とする請求項１から請求項３のいずれか１項に記載の収納棚家具。
【発明の詳細な説明】
【技術分野】
【０００１】  本発明は、冷暖房機能を備えたセパレートタイプのエアコン屋外機とエアコン屋内機と屋外機を共に収納することに好適な収納棚家具に関する。
【背景技術】
【０００２】  従来のエアコンは屋外機からダクトやチュウブ等で屋内の屋内機に送られ屋内に送風する構成で、室内の気温調節を行なってきたが住宅等の建物に於いてエアコン屋外機が設置される場所は建物と敷地条件に合わせ、エアコン方式や入居者の生活に様式に合わせ設定されるためエアコン屋外機とエアコン屋内機の設置位置も様々である。【０００３】  特に、集合住宅の居室に於いては、エアコン屋外機を設置する為のベランダ等の設置スペースがないと、エアコンの設置場所が消防法等の規制に抵触してエアコンの設置場所の選定が難しいという課題があった。
【先行技術文献】
【特許文献】
【０００４】
【特許文献１】  特開２０１１−１７４６９２号  公報
【発明の概要】
【発明が解決しようとする課題】
【０００５】  しかしながら、上記特許文献１に記載の技術は、集合住宅の通路側に面した部屋にウインドエアーコンを設置し、従来の床置き暖房器具による火傷、火災事故、財物等の損失を防ぎ、オールシーズン空調設備による快適な生活空間を提供すると共に、火災による財物の損失を守ることを目的とする構成は、集合住宅の通路側に面した一部屋に限定するという課題がある。【０００６】  また、既存の窓枠により縦横の寸法は、任意に採寸した窓枠に合わせた木製枠に収納棚を設けてエアコン屋外機を設置するとあるが
既存の窓枠四方に合わせた木製枠の箱物を設けて居室の窓の一部で無く全てを塞いでしまうと建築基準法による居室の採光面積が不足してしまう恐れがある。【０００７】  更に、前記既設の窓のサイズは大同小異不特定であり、前記既存の窓枠に合わせた木製枠に収納棚を設けた箱物を用意しても肝心のエアコン機材が収まる適切な大きさに対応可能な木製枠の基本スペースを定める必要がある。【０００８】  本発明は、従来の冷暖房機能を備えたセパレートタイプのエアコン屋外機とエアコン屋内機を共に収納する家具の諸問題を解消した安全便利で扱いやすく効率の良い経済的な収納家具を提供することを目的とする。
【課題を解決するための手段】
【０００９】  本発明は、居室の引き違い窓の一部に設ける冷暖房機能を備えた形式のエアコン屋外機と屋内機を収納する収納家具であって、前記屋外機を設置する空間が、前後面、上下面、及び左右側面によって密閉空間とされ、前記前面は開閉自在に形成されており、前記後面の少なくとも一部は開口されており、前記後面の開口部以外の前記密室空間は防音、遮熱がされており、床面は防水処理がなされている。【００１０】  前記収納棚家具は窓と前記後面の開口部に対向して設置されており、前記窓の上部及び下部と右側縦窓受額縁三方の窓受額縁とアングル止金具で接合固定し、前記家具後部仕切板に対向する引き違い窓の中央部縦枠から袖壁を設け、当該袖壁に遮熱材を接合したリブを前記窓の幅員に合わせた距離の位置に接合した当該リブが引き違い窓の中央部縦枠面に密着し、前記窓と開口部とは防音．遮熱．防振動処理された連通路を以って開閉状態にして連結されている構成で空調を行なう。【００１１】    前記収納棚家具の棚に設置した前記屋外機に於いて室内の雰囲気から隔離された防音．遮熱．防振動を施した前記仕切板によって囲まれた一部に前記家具の前部化粧仕切板に開口部を設けて、前記前面部を開放可能にした密閉された化粧仕切板を設けた収納棚家具とする。【００１２】  請求項１記載の前記屋外機から前記屋内機までの冷媒配管距離を大幅に短縮しヒートロスを減少する。
【発明の効果】
【００１３】  従来のエアコンは屋外機からダクトやチュウブ等で屋内の屋内機に送られ室内へ送風する構成で室内の気温調節を行なってきたが住宅等の建物に於いてエアコン方式や建物と敷地条件及び居住者の生活様式等の条件がありエアコン屋外機及び屋内機が設置される場所は様々である。しかし、本発明の家具に於いて防音．遮熱．防火．防振動対策を施した仕切板によって囲まれたエアコン屋外機及び屋内機を屋内に前記収納棚家具として設置可能としたことにより集合住宅に於いて屋外に面した部屋にエアコンを設置することが可能になった。【００１４】  前記屋外機より前記屋内機に接続する配管距離が大幅に短縮されヒートロスが減少する。【００１５】  本発明による家具に於いて使用する空調機材は従来から流通しているセパレート型室内機と屋外機及び関連機材が同機種で共通して使用可能とした構成であり経済的である。
【図面の簡単な説明】
【００１６】
【図１】  本発明の収納棚家具の第１実施形態を示す斜視図
【図２】  図１中のＡ−Ａ線断面図
【図３】  図２中のＡ−Ａ部断面図
【図４】  図２中のＢ−Ｂ部断面図
【図５】  図１の背面図
【図６】  図１の右側面図。
【図７】  第１及び第２実施形態共通の図２のア、拡大図
【図８】  第１及び第２実施形態共通の図２のイ、拡大図
【図９】  本発明の収納棚家具の第２実施形態を示す斜視図
【図１０】  図９中のＡ−Ａ線断面図
【図１１】  図１０中のＡ−Ａ部断面図
【図１２】  図１０中のＢ−Ｂ部断面図
【図１３】  図９の背面図
【図１４】  図９の右側面図
【発明を実施するための形態】
【００１７】  本発明の収納棚家具の第１実施形態を図１から図８に基いて具体的に説明する。
【００１８】  図１に記載したようにセパレート型の冷暖房機能を備えた屋外機２を収納棚形式の前記収納棚家具は、その背面部の一部に屋外機排気開口部８を設けた仕切板６と対向する開放可能な窓１０の位置に合わせた前記収納棚家具の中央部近傍の収納棚４に設置をすることで、屋内機１を当該収納棚４の直下空間部、及び下方空間部のいずれかの収納棚４に設置するかの選択を可能とした構成である。
【００１９】  図２に記載したように、本収納棚家具は冷暖房機能を備えたセパレート形式のエアコン屋内機１と屋外機２を収納する収納棚家具である。そして、前記屋外機２を設置する空間が、前面、背面、上下面、及び左右側面によって密閉空間とされ、前記前面は開閉自在に形成されており、前記後面の少なくとも一部は開口されており、前記後面の開口部以外の前記密室空間は防音、遮熱処理をするように形成されている。
【００２０】  図３及び図４に記載したように収納棚家具の上部収納棚４の下方の収納棚４に前記屋外機２に内蔵するコンプレッサーの振動を防ぐ架台を設けた前記屋外機２を設置した収納棚家具であり、背面仕切板６の一部で且つ開放可能な窓１０に対向する位置で防音、遮熱、防振を施した前記仕切板６によって囲まれ屋内の雰囲気から隔離された前記屋外機２は、前記窓１０部に於いて開放された前記窓１０を通じて前記屋外機２から発する騒音及び熱風を、屋外へ放出するように形成されている。
前記収納棚家具の収納棚４に設置した前記屋外機２に於いて、室内の雰囲気から隔離された防音、遮熱、防振を施した前記仕切板６によって囲まれた一部に前記家具の前部化粧仕切板７に前記屋外機２の搬出入及び事故、保守管理の開口部９を設けて通常は密閉閉鎖しており非常時に開放可能とした。
【００２１】  図３、図４に記載した収納棚家具に於いて、前記屋外機２を設置した下方の収納棚４に屋内機１を設置して当該室内の下部空間へ夏季には冷気、冬季には暖気の空調空気を吹き出し好適な空調が出来るように形成されている。
【００２２】  更に、前記収納棚に設置した前記屋外機２から下方部収納棚４の屋内機１に接続する冷媒管１７と並列して、前記屋外機２の架台３を受ける防水処理を施した収納棚４の面上から下方収納棚４のドレイン排水受器１６に接続する雨水排水管を配し、前記屋外機２から屋内機１に接続する冷媒管の距離が大幅に短縮して、ヒートロスが減少するように形成されている。
【００２３】  図２〜図５、に記載した前記収納棚家具に対向する窓１０の上部及び下部と右側縦窓受額縁三方の窓受額縁１１をアングル止金具１２で接合固定し、前記家具背部仕切板６に対向する引き違い窓１０の中央部縦枠から平行に袖壁１３を設け遮熱材を接合したリブ１４を対向した窓１０の縦、横の幅に合わせた距離の位置に前記リブ１４を接合し、当該リブ１４が引き違い窓１０の中央部縦枠面に密着し、防音、遮熱するように形成されている。
【００２４】  図３，図４に記載したように、防水処理をした収納棚４に設置された屋外機２の下方部収納棚４の左コーナーからドレイン排水管受器１６を設けて直上の屋内機１から排水する。
【００２５】  図７に記載した図２中のア部拡大図に於いて、前記収納棚家具に対向する既設窓１０の上部及び下部と右側縦窓受額縁三方の窓受額縁１１を、前記収納棚家具にアングル止金具１２で接合して、安定固定するように形成されている。
【００２６】  図８に記載した図２中のイ部拡大図に於いて、前記家具背部仕切板６に対向する引き違い窓１０の中央部縦枠部から袖壁１３を設け遮熱材を接合したリブ１４を対向した前記窓１０の縦枠と前記窓１０の中央部縦枠に合わせた距離の位置に前記リブ１４を接合し、当該リブ１４が引き違い窓１０の前記中央部縦枠面に密着し、防音、遮熱するように形成されている。
【００２７】  本発明の収納棚家具の第２実施形態を図９から図１４に於いて具体的に説明する。
【００２８】  図９に記載したようにセパレート型の冷暖房機能を備えた屋外機２を収納棚形式の前記収納棚家具は、その背面部の一部に屋外機排気口８を設けた仕切板６と対向する開放可能な窓１０の位置にあわせた前記収納棚家具の上方部の収納棚４に設置することで、屋内機１を前記収納棚家具直上部に、屋内機受け木枠１９を設けて屋内機１を設置する。
もしくは前記収納棚家具の直上部で対向する前記窓１０上部の既設建物構造形態に合わせて、梁面か壁面のいずれに屋内機１を設置するか、選択が出来るように形成されている。
【００２９】  図１０は図９中のＡ−Ａ線に於いて、断面した収納棚家具の平面図であり、前記屋外機２を設置する空間が前面、背面、と上下面、及び左右側面が仕切板６によって囲まれた密閉空間とされ、前記前面は開閉自在に形成されている。又、前記背面は既設建物の窓１０と対向しており、屋外機排気開口８として少なくとも一部は開口されているが、前記背面の開口部以外の前記密室空間は防音、防水、遮熱するように形成されている。
【００３０】  図１１、図１２は、図１０中のＡ−Ａと，Ｂ−Ｂの断面図であり、屋内機１は前記収納棚家具直上部に、屋内機受け木枠１９を設けて屋内機１を設置する。もしくは対向する前記窓１０上部の構造形態に合わせて、梁面か壁面のいずれに屋内機１を設置するか、選択が出来るように形成されている。屋外機２は収納棚形式の前記収納棚家具の、背面部の一部に屋外機排気口８を設けた仕切板６と対向する開放可能な窓１０の位置にあわせた前記収納棚家具の上方部の収納棚４に設置する。前記収納棚家具上部に設置した屋内機１から屋外機２にドレイン排水管１５と冷媒管１７を並列配管し、下方部の収納棚４に設置された屋外機２に冷媒管１７を接続して、前記屋外機２が設置された防水処理済み棚板の雨水排水口に前記ドレイン排水管１５を接続して、更に前記収納棚４下方向の収納棚４に設けたドレイン排水受け器１６に接続するように形成されている。
【００３１】  図１２、図１３は、収納棚家具の背面図及び右側面図であり、窓１０と前記背面の屋外機排気開口部８に対向して設置されており、前記窓１０の上部及び下部と右側縦窓受額縁三方の窓受額縁１１とアングル止金具１２で接合固定し、前記家具後部仕切板６に対向する引き違い窓１０の中央部縦枠から袖壁１３を設け、当該袖壁１３に遮熱材を接合したリブ１４を前記窓１０の幅員に合わせた距離の位置に接合した当該リブ８が引き違い窓１０の中央部縦枠面に密着し、前記窓１０と屋外機排気開口部８とは防音．遮熱．防振された連通路を以って開閉状態にして連結されているように形成されている。
【００３２】図１５に記載の屋内機１に於いて、前記収納棚家具外の直上方部で対向する前記窓１０上方部の既設建物の構造形態に合わせて、梁面か壁面のいずれかを選択して、屋内機１を設置することが出来るように形成されている。
【符号の説明】
【００３３】１    屋内機
２    屋外機
３    架台
４    収納棚
５    屋内機収納棚化粧扉
６    仕切板
７    化粧仕切板
８    屋外機排気開口
９    屋外機搬出入．保守管理開口
１０  窓
１１  窓受額縁
１２  アングル止金具
１３  袖壁
１４  リブ
１５  ドレイン排水管
１６  ドレイン排水受器
１７  冷媒管
１８  スライド開閉扉
１９  屋内機受け木枠
【図１】
2017110893.tif 000003
【図２】
2017110893.tif 000004
【図３】
2017110893.tif 000005
【図４】
2017110893.tif 000006
【図５】
2017110893.tif 000007
【図６】
2017110893.tif 000008
【図７】
2017110893.tif 000009
【図８】
2017110893.tif 000010
【図９】
2017110893.tif 000011
【図１０】
2017110893.tif 000012
【図１１】
2017110893.tif 000013
【図１２】
2017110893.tif 000014
【図１３】
2017110893.tif 000015
【図１４】
2017110893.tif 000016